(57)【特許請求の範囲】
【請求項１】
鉄骨柱の鉄鋼部に、膨出した障害部を介して２箇所に突設される突起物を連続的に切断することができる切断機であって、
該切断機は、前記鉄鋼部に着脱自在に取り付ける取付治具と、切断機本体とから構成され、
前記取付治具は、
前記鉄骨柱の幅方向に渡って配設される横長の取付長板と、
該取付長板の両端部から前記鉄骨柱の側部に沿ってそれぞれ設けられる側板と、
該側板に設けられて前記鉄骨柱の側部に圧接可能な圧接用ボルトと、
前記取付長板に設けられる係止溝付きのプレートと、からなり、
前記切断機本体は、
前記係止溝に回動自在に係止する回動支柱と、
該回動支柱に連結板を介して設けられる正面板と、
前記鉄鋼部に着脱自在に取り付ける磁石式の取付部と、
該取付部に設けられるレールガイド支柱と、
該レールガイド支柱と前記正面板との間に渡って設けられる移動用レールと、
該移動用レールに沿って移動可能なガイド部と、
該ガイド部に連設されると共に中央部に前記突起物を通過するための切断開口部を有する取付基板と、
該取付基板に設けられる駆動モータと、
該駆動モータの駆動に連動して駆動すると共に前記取付基板に設けられる駆動ローラと、
該駆動ローラと相対して前記取付基板に設けられる一対の従動ローラと、
該従動ローラと前記駆動ローラとで回転するカッターと、を備えること
を特徴とする切断機。
【請求項２】
鉄骨柱の鉄鋼部に、膨出した障害部を介して２箇所に突設される突起物を連続的に切断することができる切断機であって、
該切断機は、前記鉄鋼部に着脱自在に取り付ける取付治具と、切断機本体とから構成され、
前記取付治具は、
前記鉄骨柱の幅方向に渡って配設される横長の取付長板と、
該取付長板の両端部から前記鉄骨柱の側部に渡ってそれぞれ配設されると共に、当該側部に圧接可能な圧接用ボルトを備える側部長板と、
該側部長板の同士の間に渡って前記鉄鋼部の反対側に配設されると共に、当該反対側に圧接可能な第２圧接用ボルトを備える補助長板と、
前記取付長板に設けられる係止溝付きのプレートと、からなり、
前記切断機本体は、
前記係止溝に回動自在に係止する回動支柱と、
該回動支柱に連結板を介して設けられる正面板と、
前記鉄鋼部に着脱自在に取り付ける磁石式の取付部と、
該取付部に設けられるレールガイド支柱と、
該レールガイド支柱と前記正面板との間に渡って設けられる移動用レールと、
該移動用レールに沿って移動可能なガイド部と、
該ガイド部に連設されると共に中央部に前記突起物を通過するための切断開口部を有する取付基板と、
該取付基板に設けられる駆動モータと、
該駆動モータの駆動に連動して駆動すると共に前記取付基板に設けられる駆動ローラと、
該駆動ローラと相対して前記取付基板に設けられる一対の従動ローラと、
該従動ローラと前記駆動ローラとで回転するカッターと、を備えること
を特徴とする切断機。
【請求項３】
前記係止溝は、前記プレートの複数箇所に適宜な間隔を開けて設けられていること
を特徴とする請求項１又は２のいずれかに記載の切断機。
【請求項４】
前記連結板には長孔が形成され、該長孔にネジを螺入して、当該連結板に前記正面板を取り付ける構成であること
を特徴とする請求項１又は２のいずれかに記載の切断機。
【発明の詳細な説明】
【技術分野】
【０００１】
本発明は、鉄骨構造や鉄筋コンクリート構造における鉄骨柱の接続部分に突設される吊りピース、エレクションピース、ガイドピース又はジョイントプレート等の突起物を切断する自走式の切断機に関するものである。
【背景技術】
【０００２】
従来、この種の切断機としては、図１７及び図１８に示す構成のものが知られている。この切断機１は、鉄骨柱に着脱自在に取り付ける４箇所の磁石式の取付部２と、それぞれの取付部２に設けられるレールガイド支柱３と、レールガイド支柱３同士に渡って設けられる一対の移動用レール４と、移動用レール４に沿って移動可能な移動ローラ５と、移動ローラ５に連設されると共に中央部に突起物（被切断物）を通過するための切断開口部６を有する取付基板７と、取付基板７に設けられる駆動モータ８と、駆動モータ８の駆動に連動して駆動すると共に取付基板７に設けられる駆動ローラ９と、駆動ローラ９と相対して取付基板７に設けられる一対の従動ローラ１０と、従動ローラ１０と駆動ローラ９とで回転するカッター１１とから構成される（特許文献１参照）。
【０００３】
このような構成の切断機１を使用する場合は、図１９に示すように、立設する鉄骨柱１２の突起物（被切断物）１３に相対して４箇所の取付部２を吸着させてから、駆動モータ８を駆動させて、カッター１１を高速に回転させる。
【０００４】
そして、取付基板７がその自重によって移動用レール４に沿って下降し、当該取付基板７の切断開口部６が突起物１３を通過する時に、カッター１１が突起物１３を切断する。
【先行技術文献】
【特許文献】
【０００５】
【特許文献１】特開２００６−２１２６５号公報
【発明の概要】
【発明が解決しようとする課題】
【０００６】
ところで、図２０に示すような、鉄骨柱１２に形成される膨出した障害部１４を介して、その上部と下部との２箇所の突起物１３ａ、１３ｂを、切断機１で切断する場合は、次のような作業手順で行う。なお、障害部１４は溶接痕等であり、シーム（継ぎ目）等に形成されて、盛り上がった状態で膨出してなる。
【０００７】
まず、上部の突起物１３ａに相対して、鉄骨柱１２に４箇所の取付部２を吸着させてから、当該突起物１３ａの切断作業を行い、その後に全ての取付部２を取り外す。次に、切断機１を下方に移動してから、下部の突起物１３ｂに相対して、鉄骨柱１２に４箇所の取付部２を吸着させて、当該突起物１３ｂの切断作業を行う。
【０００８】
つまり、それぞれの突起物１３ａ、１３ｂに対して、取付部２の吸着作業と取り外し作業とを別々に行うのである。その理由は、２箇所の突起物１３ａ、１３ｂを連続的に切断しようとすると、上部の突起物１３ａを切断した後に、カッター１１が障害部１４に引っ掛かって邪魔になり、取付基板７が移動用レール４に沿って下降できないからである。
【０００９】
このように、上下の突起物１３ａ、１３ｂに対して、取付部２の取付作業と取り外し作業とを別々に繰り返して行う必要があるので、作業性が悪く非効率であるという問題点を有している。
【００１０】
従って、従来例における切断機１においては、膨出した障害部１４を介して、その上部と下部との２箇所の突起物１３ａ、１３ｂを切断する作業を、作業性良く効率的に行うことに解決しなければならない課題を有している。
【課題を解決するための手段】
【００１１】
前記従来例の課題を解決するための本発明の要旨は、鉄骨柱の鉄鋼部に、膨出した障害部を介して２箇所に突設される突起物を連続的に切断することができる切断機であって、該切断機は、前記鉄鋼部に着脱自在に取り付ける取付治具と、切断機本体とから構成され、前記取付治具は、前記鉄骨柱の幅方向に渡って配設される横長の取付長板と、該取付長板の両端部から前記鉄骨柱の側部に沿ってそれぞれ設けられる側板と、該側板に設けられて前記鉄骨柱の側部に圧接可能な圧接用ボルトと、前記取付長板に設けられる係止溝付きのプレートと、からなり、前記切断機本体は、前記係止溝に回動自在に係止する回動支柱と、該回動支柱に連結板を介して設けられる正面板と、前記鉄鋼部に着脱自在に取り付ける磁石式の取付部と、該取付部に設けられるレールガイド支柱と、該レールガイド支柱と前記正面板との間に渡って設けられる移動用レールと、該移動用レールに沿って移動可能なガイド部と、該ガイド部に連設されると共に中央部に前記突起物を通過するための切断開口部を有する取付基板と、該取付基板に設けられる駆動モータと、該駆動モータの駆動に連動して駆動すると共に前記取付基板に設けられる駆動ローラと、該駆動ローラと相対して前記取付基板に設けられる一対の従動ローラと、該従動ローラと前記駆動ローラとで回転するカッターと、を備えることである。
【００１２】
次の本発明の要旨は、鉄骨柱の鉄鋼部に、膨出した障害部を介して２箇所に突設される突起物を連続的に切断することができる切断機であって、該切断機は、前記鉄鋼部に着脱自在に取り付ける取付治具と、切断機本体とから構成され、前記取付治具は、前記鉄骨柱の幅方向に渡って配設される横長の取付長板と、該取付長板の両端部から前記鉄骨柱の側部に渡ってそれぞれ配設されると共に、当該側部に圧接可能な圧接用ボルトを備える側部長板と、該側部長板の同士の間に渡って前記鉄鋼部の反対側に配設されると共に、当該反対側に圧接可能な第２圧接用ボルトを備える補助長板と、前記取付長板に設けられる係止溝付きのプレートと、からなり、前記切断機本体は、前記係止溝に回動自在に係止する回動支柱と、該回動支柱に連結板を介して設けられる正面板と、前記鉄鋼部に着脱自在に取り付ける磁石式の取付部と、該取付部に設けられるレールガイド支柱と、該レールガイド支柱と前記正面板との間に渡って設けられる移動用レールと、該移動用レールに沿って移動可能なガイド部と、該ガイド部に連設されると共に中央部に前記突起物を通過するための切断開口部を有する取付基板と、該取付基板に設けられる駆動モータと、該駆動モータの駆動に連動して駆動すると共に前記取付基板に設けられる駆動ローラと、該駆動ローラと相対して前記取付基板に設けられる一対の従動ローラと、該従動ローラと前記駆動ローラとで回転するカッターと、を備えることである。
【００１３】
また、前記係止溝は、前記プレートの複数箇所に適宜な間隔を開けて設けられていること、；
前記連結板には長孔が形成され、該長孔にネジを螺入して、当該連結板に前記正面板を取り付ける構成であること、；
を含むものである。
【発明の効果】
【００１４】
本発明に係る切断機によれば、膨出した障害部を介して上下の２箇所に突設される突起物を切断する作業を、次のような作業手順で行うことによって、作業性良く効率的に行うことができる。
まず、切断機を上部の突起物に相対して、圧接用ボルトを鉄鋼部の側部に圧接すると共に、取付部を鉄鋼部に吸着させてから、当該上部の突起物の切断作業を行う。その後、取付部を取り外すと共に、係止溝に係止した回動支柱を中心にして切断機本体を持ち上げて、鉄鋼部から離隔する。そして、カッターが障害部を越えるよう取付基板を下方に移動させてから、下部の突起物に相対して、取付部を鉄鋼部に吸着させて、当該下部の突起物の切断作業を行う。
つまり、圧接用ボルトを常に鉄鋼部の側部に圧接した状態で、上下２箇所の突起物を連続的に切断できる。従って、従来例のように４箇所の取付部の取付、取外し作業を繰り返して行う必要がなく、また、切断機の移動作業が省略できるので、作業性良く効率的に切断作業が行えるという優れた効果を奏する。
【００１５】
また、取付治具が取付長板と側部長板と補助長板とからなり、鉄骨柱の周囲を囲繞するように配設する場合は、取付治具の取付状態が強固であって揺れやガタ付きが生じないで安定するという優れた効果を奏する。
【００１６】
係止溝は、プレートの複数箇所に適宜な間隔を開けて設けられていることによって、突起物が長い場合や、突起物同士の間隔が長い場合等の作業現場の状況に合わせて、回動支柱を最適な係止溝に係止させることができるという優れた効果を奏する。
【００１７】
連結板には長孔が形成され、長孔にネジを螺入して、当該連結板に正面板を取り付ける構成であることによって、長孔を上下にズラして取付位置を調整できるので、切断機本体の位置調整を行うことが可能であり、その結果、カッターを最適な位置に調整することができるという優れた効果を奏する。
【図面の簡単な説明】
【００１８】
【図１】本発明に係る切断機２１の平面図である。
【図２】本発明に係る切断機２１の側面図である。
【図３】図１のＡ−Ａ線断面図である。
【図４】本発明に係る切断機２１の正面図である。
【図５】取付治具２２の側面図である。
【図６】取付治具２２の平面図である。
【図７】取付治具２２の正面図である。
【図８】切断機本体２３の側面図である。
【図９】切断機本体２３の平面図である。
【図１０】切断機本体２３の正面図である。
【図１１】切断機２１の使用状態を説明する側面図である。
【図１２】切断機２１の使用状態を説明する側面図である。
【図１３】切断機２１の使用状態を説明する側面図である。
【図１４】第２実施例の切断機５１の平面図である。
【図１５】図１７のＢ−Ｂ線断面図である。
【図１６】第２実施例の切断機５１の正面図である。
【図１７】従来例に係る切断機１の斜視図である。
【図１８】従来例に係る切断機１の斜視図である。
【図１９】従来例に係る切断機１の使用状態を説明する斜視図である。
【図２０】障害部１４と突起物１３ａ、１３ｂとを説明する鉄骨柱１２の斜視図である。
【発明を実施するための形態】
【００１９】
次に、本発明の実施の形態について図面を参照しながら説明する。まず、図１から図４において、符号２１は切断機を示し、この切断機２１は、鉄骨柱１２の鉄鋼部１２ａに着脱自在に取り付ける取付治具２２と、切断機本体２３とから構成される。
【００２０】
切断機２１は、図２０に示すような立設する鉄骨柱１２において、膨出した障害部１４を介して上下の２箇所に突設される突起物１３ａ、１３ｂを切断する場合に、後述する作業手順に沿って行うことにより、作業性良く効率的に切断することができる。
【００２１】
取付治具２２は、図５から図７に示すように、鉄骨柱１２の幅方向に渡って配設される横長の取付長板２４と、取付長板２４の両端部２４ａから鉄骨柱１２の側部１２ｂに沿ってそれぞれ設けられる側板２５と、側板２５の端部側に設けられて鉄骨柱１２の側部１２ｂに圧接可能な圧接用ボルト２６と、取付長板２４に設けられる係止溝４０付きのプレート３９とから構成される。
【００２２】
取付長板２４は、長尺状に形成されており、その両端部２４ａにおいて２本のボルト２４ｂで側板２５を固定している。
側板２５は板状に形成されて、その端部側には圧接用ボルト２６が螺着しており、この圧接用ボルト２６を鉄骨柱１２の側部１２ｂに圧接できるようになっている。
【００２３】
取付長板２４の略中央部分には２枚のプレート３９が設けられている。プレート３９は、適宜の間隔を開けて係止溝４０が形成されている。このように、係止溝４０がプレート３９の２箇所に設けられていることにより、突起物１３ａ、１３ｂが長い場合や、突起物１３ａ、１３ｂ同士の間隔が長い場合等の作業現場の状況に合わせて、回動支柱２７を最適な係止溝４０に係止させることができる。
なお、図６中の符号４１はプレート３９同士の間隔を保持する保持板を示している。
【００２４】
切断機本体２３は、図８から図１０に示すように、係止溝２５に回動自在に係止する回動支柱２７と、回動支柱２７に連結板２８を介して設けられる正面板２９と、鉄鋼部１２ａに着脱自在に取り付ける一対の磁石式の取付部３０と、取付部３０に設けられるレールガイド支柱３１と、レールガイド支柱３１と正面板２９との間に渡って設けられる一対の移動用レール３２と、移動用レール３２に沿って移動可能なガイド部３３と、ガイド部３３に連設される取付基板３４と、取付基板３４に設けられる駆動モータ３５と、駆動モータ３５の駆動に連動して駆動すると共に取付基板３４に設けられる駆動ローラ３６と、駆動ローラ３６と相対して取付基板３４に設けられる一対の従動ローラ３７と、従動ローラ３７と駆動ローラ３６とで回転するカッター３８とから構成される。
【００２５】
回動支柱２７は、所定長さの管状に形成されており、その途中には、リング状の抜け止部４２が設けられている。この抜け止部４２の存在によって、係止溝２５から回動支柱２７の脱落を防止している。
【００２６】
回動支柱２７の両端部には、Ｌ字状の連結板２８が設けられており、連結板２８には、長孔４３が形成されている（図１０参照）。長孔４３にネジ４４を螺入して、連結板２８に正面板２９が取り付けられている。
【００２７】
正面板２９は、図１０に示すように、略長方形状を呈しており、上述のように、連結板２８の長孔４３にネジ４４を螺入して、当該連結板２８に正面板２９が取り付けられている。従って、長孔４３を上下にズラして取付位置を調整することができるので、切断機本体２３の位置調整を行うことが可能であり、その結果、カッター３８を最適な位置に調整することができる。
【００２８】
また、正面板２９の中央部には、後述する切断開口部４６とほぼ同形状の開口部２９ａが形成されている。この開口部２９ａは、突起物１３ａ、１３ｂを通過するための隙間である。
【００２９】
取付部３０は、箱形に形成されて、磁石式又は電磁石式の吸着部３０ｃを下部に有している。そして、スイッチ３０ａのＯＮ／ＯＦＦ操作により、鉄鋼部１２ａに強固に吸着させ又は取り外することができる。
【００３０】
また、取付部３０は、上部に取付板３０ｂが設けられており、この取付板３０ｂを介してレールガイド支柱３１が立設する。
【００３１】
レールガイド支柱３１は、平板状に形成されており、それぞれの取付板３０ｂの上部に立設している。また、レールガイド支柱３１の途中からは側部３１ａが形成されている。
【００３２】
移動用レール３２は、レールガイド支柱３１（側部３１ａ）と、正面板２９との間に渡って設けられており、移動用レール３２には、当該移動用レール３２に沿って移動可能なガイド部３３が取り付けられている。
【００３３】
ガイド部３３は、移動用レール３２の内側部及び上下部を囲繞するよう略コ字状に形されており、このガイド部３３が移動用レール３２に沿って摺動した状態で移動できるようになっている。
【００３４】
取付基板３４は、所定大きさに形成されており、この取付基板３４の側部が、図１、図２、及び図８、図９に示すように、ガイド部３３に接続しており、当該ガイド部３３の移動と共に移動する仕組みになっている。また、取付基板３４の中央部には、突起物１３ａ、１３ｂを通過するための切断開口部４６が形成されている（図１０参照）。
【００３５】
切断開口部４６は、図１０に示すように、縁部４６ａが垂直に形成されている。従って、縁部４６ａに沿って垂直に突設する突起物１３ａ、１３ｂを確実に切断できる。
【００３６】
駆動モータ３５は、取付基板３４に設けられており、図示しないＯＮ／ＯＦＦスイッチによって駆動と停止の操作がなされる。
【００３７】
駆動ローラ３６は、駆動モータ３５の駆動に連動して駆動する仕組みになっており、取付基板３４に設けられる。また、駆動ローラ３６は、従動ローラ３７よりも小さめに形成されたプーリからなり、当該従動ローラ３７と伝動すべく回転式のカッター３８が掛け回されている。
【００３８】
従動ローラ３７は、駆動ローラ３６と相対して取付基板３４に設けられる。そして、従動ローラ３７と駆動ローラ３６とは、突起物１３ａ、１３ｂに対しカッター３８が直交するように配設されている。
【００３９】
カッター３８は、ワイヤー式の回転式カッター、例えばワイヤソーからなり、駆動ローラ３６と従動ローラ３７とを介して高速に回転される。
【００４０】
次に、以上のような切断機２１を使用して、図２０に示すような、膨出した障害部１４を介して上下の２箇所に突設される突起物１３ａ、１３ｂを切断する作業手順について説明する。
【００４１】
まず、図１１に示すように、上部の突起物に１３ａ相対して、圧接用ボルト２６を鉄骨柱１２の側部１２ｂに圧接すると共に、取付部３０を鉄鋼部１２ａに吸着させてから、駆動モータ３５を駆動させて、カッター３８を高速に回転させる。そして、取付基板３４がその自重によって移動用レール３２に沿って下降し（矢印Ｃ参照）、当該取付基板３４の切断開口部４６が突起物１３ａを通過する時にカッター３８が突起物１３ａを切断する。
【００４２】
その次に、図１２に示すように、取付部３０を取り外すと共に、係止溝２５に係止した回動支柱２７を中心にして切断機本体２３を持ち上げて、鉄鋼部１２ａから離隔する（矢印Ｄ参照）。そして、カッター３８が障害部１４を越えるように取付基板３４を下方に移動させる（矢印Ｅ参照）。
【００４３】
更に、図１３に示すように、下部の突起物１３ｂに相対して、取付部３０を鉄鋼部１２ａに吸着させて、当該下部の突起物１３ｂの切断作業を上述の要領で行う。
【００４４】
このように、取付治具２２の圧接用ボルト２６を鉄骨柱１２の側部１２ｂに圧接した状態で、上下２箇所の突起物１３ａ、１３ｂを連続的に切断できるので、従来例のように４箇所の取付部２の取付、取り外し作業を繰り返して行う必要がなく、また、切断機の移動作業が省略できるので、作業性良く効率的に行えることとなる。
【００４５】
次に、図１４から図１６に示す第２実施例の切断機５１について説明する。切断機５１については、前記の第１実施例と同一部分には同一符号を付してその詳細は省略する。
【００４６】
切断機５１の取付治具５２は、鉄骨柱１２の幅方向に渡って配設される横長の取付長板５３と、取付長板５３の両端部５３ａから鉄骨柱１２の側部１２ｂに渡ってそれぞれ配設される側部長板５４と、側部長板５４の同士の間に渡って鉄鋼部１２ａの反対側１２ｃに配設される補助長板５５とからなる（図１６参照）。
【００４７】
取付長板５３は、長尺状に形成されており、その両端部５３ａにおいて２本のボルト５３ｂで側部長板５４を固定している。
【００４８】
側部長板５４は長板状に形成されて、途中には圧接用ボルト５８が螺着しており、この圧接用ボルト５８を鉄骨柱１２の側部１２ｂに圧接できるようになっている。
側部長板５４の端部５４ａ側には、２箇所の溝部５６ａ、５６ｂが形成されており、この溝部５６ａ又は溝部５６ｂにおいてボルト５７で補助長板５５を固定している。
なお、ボルト５７を螺着する溝部５６ａ又は溝部５６ｂは、鉄骨柱１２の側部１２ｂの長さに応じて適する部位を選択すればよい。
【００４９】
補助長板５５は、途中に２箇所の第２圧接用ボルト５９が螺着しており、この第２圧接用ボルト５９を鉄鋼部１２ａの反対側１２ｃに圧接できるようになっている。
なお、切断機本体２３の構造と使用方法は、前記の第１実施例の場合と同様である。
【００５０】
以上のような切断機５１は、上部の突起物に１３ａ相対して、取付長板５３を鉄骨柱１２の幅方向に渡って配設し、側部長板５４を鉄骨柱１２の側部１２ｂに渡って配設して、圧接用ボルト５８を鉄骨柱１２の側部１２ｂに圧接する。
同様に補助長板５５を鉄鋼部１２ａの反対側１２ｃに配設して、第２圧接用ボルト５９を反対側１２ｃに圧接する。
【００５１】
このように、取付治具５２の取付長板５３と側部長板５４と補助長板５５とを鉄骨柱１２の周囲を囲繞するように配設することによって、取付治具５２の取付状態が強固になって揺れやガタ付き無くて安定するのである。
【符号の説明】
【００５２】
１    切断機
２    取付部
３    レールガイド支柱
４    移動用レール
５    移動ローラ
６    切断開口部
７    取付基板
８    駆動モータ
９    駆動ローラ
１０  従動ローラ
１１  カッター
１２  鉄骨柱
１２ａ鉄鋼部
１２ｂ側部
１２ｃ反対側
１３、１３ａ、１３ｂ  突起物（被切断物）
１４  障害部
２１  切断機
２２  取付治具
２３  切断機本体
２４  取付長板
２４ａ端部
２４ｂボルト
２５  側板
２６  圧接用ボルト
２７  回動支柱
２８  連結板
２９  正面板
２９ａ開口部
３０  取付部
３０ａスイッチ
３０ｂ取付板
３０ｃ吸着部
３１  レールガイド支柱
３１ａ側部
３２  移動用レール
３３  ガイド部
３４  取付基板
３５  駆動モータ
３６  駆動ローラ
３７  従動ローラ
３８  カッター
３９  プレート
４０  係止溝
４１  保持板
４２  抜け止部
４３  長孔
４４  ネジ
４６  切断開口部
４６ａ縁部
５１  第２実施例の切断機
５２  取付治具
５３  取付長板
５３ａ端部
５３ａ端部
５３ｂボルト
５４  側部長板
５４ａ端部
５５  補助長板
５６ａ、５６ｂ  溝部
５７  ボルト
５８  圧接用ボルト
５９  第２圧接用ボルト
【図１】
0006552866.tif 000002
【図２】
0006552866.tif 000003
【図３】
0006552866.tif 000004
【図４】
0006552866.tif 000005
【図５】
0006552866.tif 000006
【図６】
0006552866.tif 000007
【図７】
0006552866.tif 000008
【図８】
0006552866.tif 000009
【図９】
0006552866.tif 000010
【図１０】
0006552866.tif 000011
【図１１】
0006552866.tif 000012
【図１２】
0006552866.tif 000013
【図１３】
0006552866.tif 000014
【図１４】
0006552866.tif 000015
【図１５】
0006552866.tif 000016
【図１６】
0006552866.tif 000017
【図１７】
0006552866.tif 000018
【図１８】
0006552866.tif 000019
【図１９】
0006552866.tif 000020
【図２０】
0006552866.tif 000021